(57)【特許請求の範囲】
【請求項１】
家庭用薄葉紙が内包されている薄葉紙包装体を内側に収納するとともに、上面に前記家庭用薄葉紙の取出口を有する容器本体と、前記取出口を開閉する上蓋と、を備える家庭用薄葉紙収納容器であって、
前記取出口には、その取出口の周囲に密接する気密部材が備えられ、
前記上蓋には、前記取出口を閉蓋する際に前記気密部材と密着する第一の密着部が設けられ、
当該家庭用薄葉紙収納容器は、前記薄葉紙包装体の開口部を、前記気密部材に密着させる第二の密着部を有することを特徴とする家庭用薄葉紙収納容器。
【請求項２】
前記第二の密着部は、前記容器本体に設けられていることを特徴とする請求項１に記載の家庭用薄葉紙収納容器。
【請求項３】
前記第二の密着部は、前記気密部材に設けられていることを特徴とする請求項１に記載の家庭用薄葉紙収納容器。
【請求項４】
前記薄葉紙包装体の開口部は、前記気密部材と密接する環状部材を備えることを特徴とする請求項１〜３の何れか一項に記載の家庭用薄葉紙収納容器。
【発明の詳細な説明】
【技術分野】
【０００１】
本発明は、ウェットシートやウェットティッシュ等の家庭用薄葉紙を収納する家庭用薄葉紙収納容器及び薄葉紙包装体に関する。
【背景技術】
【０００２】
従来、家屋の床やトイレ、或いは人体などを拭くための家庭用薄葉紙を収納する家庭用薄葉紙収納容器が知られている。
そして、ウェットタイプの家庭用薄葉紙が折り畳まれ、複数枚積層された状態で封入された包装体を、家庭用薄葉紙収納容器に設けられている取出口の内面側に着脱可能に固定して、その取出口から家庭用薄葉紙を取り出しやすくした容器が知られている（例えば、特許文献１参照。）。
【特許文献１】特開平８−７２９４９号公報
【発明の開示】
【発明が解決しようとする課題】
【０００３】
しかしながら、上記特許文献１の場合、容器の取出口の内面側に設けられた係合溝に対して、包装体の開口部分に形成されている係合部を摺動させて着脱するようにして、家庭用薄葉紙を取り出しやすくしているが、その容器と包装体の間には隙間が生じやすく、気密性が低いので、全ての家庭用薄葉紙を使い終える前に、包装体内のウェットタイプの家庭用薄葉紙が乾燥してしまうことがあるという問題があった。
【０００４】
本発明の目的は、容器内の気密性を確保することができる家庭用薄葉紙収納容器及び薄葉紙包装体を提供することである。
【課題を解決するための手段】
【０００５】
以上の課題を解決するため、請求項１に記載の発明は、
家庭用薄葉紙が内包されている薄葉紙包装体を内側に収納するとともに、上面に前記家庭用薄葉紙の取出口を有する容器本体と、前記容器本体に設けられ前記取出口を開閉する上蓋と、を備える家庭用薄葉紙収納容器であって、
前記取出口には、その取出口の周囲開口に密接する環状の気密部材が備えられ、
前記上蓋には、前記取出口を閉蓋する際に前記気密部材と密着する第一の密着部が設けられ、
当該家庭用薄葉紙収納容器は、前記薄葉紙包装体の開口部を、前記気密部材に密着させる第二の密着部を有することを特徴とする。
【０００６】
請求項２に記載の発明は、請求項１に記載の家庭用薄葉紙収納容器において、
前記第二の密着部は、前記容器本体に設けられていることを特徴とする。
【０００７】
請求項３に記載の発明は、請求項１に記載の家庭用薄葉紙収納容器において、
前記第二の密着部は、前記気密部材に設けられていることを特徴とする。
【０００８】
請求項４に記載の発明は、請求項１〜３の何れか一項に記載の家庭用薄葉紙収納容器において、
前記薄葉紙包装体の開口部は、前記気密部材と密着する形状を有する環状部材を備えることを特徴とする。
【発明の効果】
【００１１】
本発明によれば、家庭用薄葉紙収納容器における容器本体の取出口を塞ぐように、上蓋を閉じて、その容器を閉蓋状態にすることによって、家庭用薄葉紙が内包されている薄葉紙包装体の開口部と、容器本体の取出口に配されている気密部材と、上蓋とを密着させることができるので、その家庭用薄葉紙収納容器内において、薄葉紙包装体の開口部側を密閉された空間とすることができ、その容器内の気密性を確保することができる。
つまり、家庭用薄葉紙収納容器の上蓋を閉じて、容器を閉蓋状態とすることによって、容器内の気密性を確保することができるので、家庭用薄葉紙収納容器に収納された薄葉紙包装体に内包されているウェットタイプの家庭用薄葉紙の乾燥を防ぐことや、その家庭用薄葉紙に異物が付着することを好適に防ぐことができる。
【発明を実施するための最良の形態】
【００１２】
以下、図を参照して、本発明に係る家庭用薄葉紙収納容器及び薄葉紙包装体の具体的な態様を詳細に説明する。ただし、発明の範囲は、図示例に限定されない。
【００１３】
［実施形態１］
図１は、本発明を適用した好適な実施形態１として例示する家庭用薄葉紙収納容器１００を示す斜視図であり、図２は、家庭用薄葉紙収納容器１００を示す正面図である。図３及び図４は、家庭用薄葉紙収納容器１００を示す平面図であり、図５は、家庭用薄葉紙収納容器１００の底蓋２を示す平面図である。図６は、家庭用薄葉紙収納容器１００における容器本体１と底蓋２との係合状態を示す説明図である。図７は、図３のVII−VII線における家庭用薄葉紙収納容器１００の断面図である。
なお、以下の説明では、家庭用薄葉紙収納容器１００の前後方向をＸ軸方向として、操作部４が設けられている側を前側とし、操作部４と反対側を後側とする。また、左右方向をＹ軸方向とし、上下方向をＺ軸方向とする。
【００１４】
本実施形態の家庭用薄葉紙収納容器１００は、図１から図７に示すように、平面視にて略楕円形状をなし、側面視（正面視）にて略半球状に形成されている。
具体的に、家庭用薄葉紙収納容器１００は、例えば、ウェットシートやウェットティシュー等の家庭用薄葉紙Ｐを内包する詰替え用の薄葉紙包装体２００（図７参照）を内側に収納するとともに、上面に家庭用薄葉紙Ｐの取出口１１を有し、底面に底面開口１５を有する容器本体１と、容器本体１の上部に回動自在に設けられ取出口１１を開閉する上蓋３と、容器本体１の底面開口１５を塞ぐ底蓋２と、取出口１１を開蓋状態とするために操作される操作部４等を備えて構成されている。
【００１５】
まず、図１〜図７を参照しながら、家庭用薄葉紙収納容器１００の容器本体１と底蓋２について説明する。
【００１６】
容器本体１は、例えば、ＰＰ（ポリプロピレン）等の熱可塑性樹脂を射出成形することにより製造され、上下両側に開口（取出口１１、底面開口１５）を有し、周面が曲面形状に形成されている。
具体的に、容器本体１は、図１〜図７に示すように、下端部に平面視にて略楕円形状を呈する底面開口１５と、上部側ほど小径となるように湾曲して形成された周面部１４と、この周面部１４の上端に連続して形成された上面部１２と、この上面部１２に設けられ、収納部５に収納された家庭用薄葉紙Ｐを取り出すための取出口１１等を備えている。
この容器本体１は、容器本体１の底面開口１５を塞ぐように底蓋２が取り付けられることで、その底蓋２とともに家庭用薄葉紙Ｐ（薄葉紙包装体２００）を収納する収納部５としての空間を確保するものである。
【００１７】
容器本体１の底面開口１５に取り付けられる底蓋２は、例えば、ＰＰ（ポリプロピレン）等の熱可塑性樹脂を射出成形することにより製造され、平面視にて容器本体１の底面開口部１５と合致する略楕円形状をなし、全体として平板状に形成されている。
具体的に、底蓋２には、図１〜図７に示すように、その外周縁に底周壁２２が立設されており、底周壁２２の先端部から下方に向けては第２底周壁２３が吊設されている。さらに、第２底周壁２３の先端縁から上方に向けて第３底周壁２４が立設されており、第２底周壁２３と第３底周壁２４により断面形状Ｕ字状の嵌合溝２５が形成されている。
そして、底蓋２の嵌合溝２５と容器本体１の底面開口部１５とが嵌合することで、容器本体１が密閉されるようになっている。
【００１８】
また、底蓋２には、底蓋２の着脱動作の際に把持される２つの把持部２１、２１が設けられている。
各把持部２１は、第３底周壁２５の周縁の前側であって、正面視にて操作部４の左右両側から容器の外側に向けてそれぞれ突設されている。この把持部２１の上面における基端側中央には、容器本体１の底面開口部１５の周縁に設けられた本体側ガイド凸部１５５、１５５と係合する底蓋側ガイド凹部２１１、２１１が設けられている。
そして、この係合部としての底蓋側ガイド凹部２１１、２１１に、被係合部としての本体側ガイド凸部１５５、１５５が合致するように係合させることにより、容器本体１の底面開口部１５と底蓋２の嵌合溝２５とが、正しい位置で係合されるようになっている。なお、容器本体１と底蓋２とが係合される正しい位置とは、互いに略同一の楕円形状からなる容器本体１の底面開口部１５と底蓋２の嵌合溝２５とが係合した際に、一方（容器本体１）と他方（底蓋２）の楕円の長軸方向と短軸方向とが一致することにより容器本体１や底蓋２に歪みや変形が生じることがなく、容器本体１と蓋体２とが隙間無く密閉されて気密性を損なうことがない状態を維持可能な取り付け位置のことである。
【００１９】
そして、容器本体１は、周面部１４の下端部である底面開口部１５と、底蓋２の嵌合溝２５とが係合することにより、底面開口部１５を塞ぐことができる一方で、その係合を解除することにより、容器本体１の内部を開放（露出）させることが可能になっている。
つまり、収納部５に家庭用薄葉紙Ｐ（薄葉紙包装体２００）を収納する場合には、容器本体１から底蓋２を取り外して、容器本体１の内側に家庭用薄葉紙Ｐ（薄葉紙包装体２００）を収容した後、容器本体１に底蓋２を取り付けて、底面開口部１５を閉塞するようになっている。
【００２０】
容器本体１の上面部１２の略中央には、収納部５に収納された家庭用薄葉紙Ｐを取り出すための取出口１１が形成されている。そして、取出口１１には、取出口１１の開口の周囲に密接する環状の気密部材６が備えられている。
【００２１】
この取出口１１の内周面には、図７に示すように、気密部材６を取り付けるための環状溝部１１ａが形成されており、取出口１１における環状溝部１１ａよりも下方側には、収納部５に収納する薄葉紙包装体２００の開口部２００ａを気密部材６に密着させて取り付けるための第二の密着部としての密着溝部１１ｂが形成されている。
【００２２】
気密部材６は、例えば、シリコンゴムなどの弾性材料からなり、容器本体１の取出口１１の内周面に形成されている環状溝部１１ａに、その気密部材６の径方向外側に突出している外縁部６１が隙間無く密着するように嵌め込まれている。
この気密部材６の底面側の内縁には、薄葉紙包装体２００の開口部２００ａと連通するようになる内縁開口部６２が形成されており、また、気密部材６の上面側には、上方に延在する密閉環部６３が形成されている。
【００２３】
また、第二の密着部としての密着溝部１１ｂには、薄葉紙包装体２００の開口部２００ａが隙間無く嵌め込まれるようになっており、その密着溝部１１ｂは、薄葉紙包装体２００の開口部２００ａを気密部材６に密着させることが可能になっている。そして、密着溝部１１ｂによって、薄葉紙包装体２００の開口部２００ａが気密部材６に密着された状態において、薄葉紙包装体２００の開口部２００ａと、気密部材６の内縁開口部６２とが連通するようになっており、収納部５に収納されている薄葉紙包装体２００内から内縁開口部６２を通じて、家庭用薄葉紙Ｐを引き出して取り出すことができるようになっている。
【００２４】
この薄葉紙包装体２００は、防湿性の包装体本体２００ｂに複数枚のウェットタイプの家庭用薄葉紙Ｐを積層した状態で内包している、例えば、詰替え用の薄葉紙包装体であって、開口部２００ａの内周側に形成される引出口（図示省略）から家庭用薄葉紙Ｐを継続して取り出せるように交互に折り重ねられた状態で複数枚の家庭用薄葉紙Ｐを内包している。即ち、家庭用薄葉紙Ｐを取出口１１（内縁開口部６２）から容器本体１の外側へ引き出したときに、次の家庭用薄葉紙Ｐの上端が取出口１１（内縁開口部６２）よりも突出する位置まで収納部５から引き出されるようになっている。
【００２５】
なお、薄葉紙包装体２００の開口部２００ａは、包装体本体２００ｂと一体に形成されたものであることに限らず、例えば、包装体本体２００ｂの引出口の周囲にシリコンゴムなどの弾性材料からなる環状部材２００ａであって、気密部材６と密着可能な形状を有する環状部材２００ａを開口部（２００ａ）として接着や圧着などによって取り付けたものであってもよい。このように、薄葉紙包装体２００の開口部を包装体本体２００ｂと別体の環状部材２００ａとすることによれば、容器本体１の取出口１１の形状に対応する様々な形状の開口部２００ａを形成することや、容器の気密性を高めることに応じた素材や材質の開口部２００ａを形成することなど、その目的や用途に応じて開口部のバリエーションを広げやすくなる。
【００２６】
また、上面部１２における取出口１１の後側には、上蓋３が回動可能に取り付けられる回動取付部１６が設けられている。
回動取付部１６は、図３、図４、図７に示すように、上蓋３の軸部分３１に形成されたＹ軸方向に沿う回動軸３１１を軸心に、その上蓋３を回動可能に取り付けるためのものであり、Ｙ軸方向に沿って形成された凹型の軸受部１６４を有している。この軸受部１６４は、図３、図４に示すように、２つの回動軸３１１、３１１に対応させてＹ軸方向に並んで設けられている。
そして、この軸受部１６４が回動軸３１１を軸支することで、軸受部１６４と回動軸３１１とによる回動軸部が構成されて、上蓋３が回動可能に回動取付部１６に配設されるようになる。
【００２７】
さらに、回動取付部１６には、図７に示すように、上蓋３を開く方向に付勢する、例えば、ねじりコイルバネ等のばね部材１６１が備えられている。そして、後述する回動規制部による上蓋３の回動の規制が解除された状態では、上蓋３が、ばね部材１６１の付勢力によって回動されて開蓋状態に配置されることにより、取出口１１（気密部材６）が露出されるようになっている。なお、ばね部材１６１は、ねじりコイルバネに限らず、上蓋３を開く方向に付勢可能なものであれば、例えば、板バネ等を適用してもよい。
【００２８】
また、図７に示すように、上面部１２における取出口１１の前側には、上蓋３（前端面部３３）に対向する対向面部１３が設けられている。
この対向面部１３には、Ｘ軸方向前側に向けて突出する本体側凸部１３１が形成されている。
【００２９】
次に、家庭用薄葉紙収納容器１００の上蓋３について説明する。
上蓋３は、図１〜図７に示すように、平面視にて略楕円形状を呈し、取出口１１を閉塞するように容器本体１に取り付けられた状態で容器本体１の外面部とともに略半球状をなすように形成されている。
具体的には、上蓋３は、容器本体１の回動取付部１６に取り付けられる回動軸３１１を有する軸部分３１と、この軸部分３１から前方及び側方に延出され、容器本体１の外面部の曲率に合わせて所定の曲率を有する湾曲部３２と、この湾曲部３２の前端部から略真下に延出された前端面部３３と、湾曲部３２の内面側に設けられた第一の密着部である密閉部３４等を備えている。
【００３０】
軸部分３１は、Ｙ軸方向に沿い左右方向にそれぞれ延在する一対の回動軸３１１、３１１を備えている。
湾曲部３２は、上蓋３が閉蓋状態に配置される際に、家庭用薄葉紙収納容器１００の天面をなす。
前端面部３３は、湾曲部３２から連続して形成されており、その下端部には、Ｘ軸方向後側に向けて突出する上蓋側凸部３３１が形成されている。
密閉部３４は、上蓋３の内面側から略真下に向いて延出された２重環状の部材であり、上蓋３が閉蓋される際に、取出口１１の気密部材６と密着するようになっており、第一の密着部として機能する。
【００３１】
そして、容器の不使用状態にて、取出口１１を上蓋３で閉塞するように、上蓋３をＸ軸方向前側に倒すように回動させると、上蓋３の前端面部３３の上蓋側凸部３３１が、容器本体１の対向面部１３の本体側凸部１３１に係止された状態となって（図７参照）、取出口１１を開放するような上蓋３の回動が規制される。なお、上蓋側凸部３３１と本体側凸部１３１により、上蓋３の回動を規制する回動規制部が構成される。
更に、その取出口１１を上蓋３で閉蓋した際、２重環状の密閉部３４が、気密部材６の密閉環部６３を挟み込むようにして（図７参照）、密閉部３４と気密部材６とが密着するようになっている。
【００３２】
次に、家庭用薄葉紙収納容器１００の操作部４について説明する。
操作部４は、図１〜図７に示すように、容器本体１における取出口１１よりも前側であって、対向面部１３よりも前方となる操作部取付部１５６の所定位置に固定された下摘み部４１と、この下摘み部４１の上側に回動可能に設けられた上摘み部４２等を備えて構成されている。
【００３３】
下摘み部４１は、図７に示すように、例えば、断面略Ｌ字状に形成され、先端部がＸ軸方向前側に向けて突出するように配設されている。また、下摘み部４１の先端部は、例えば、家庭用薄葉紙収納容器１００の外面部の曲率に合わせるように所定の曲率をもって湾曲して形成されている。
【００３４】
上摘み部４２は、図７に示すように、ユーザにより操作される操作レバー部４２１と、上摘み部４２の回動の中心軸となる回動軸部４２２が形成されている中央軸部４２４と、上摘み部４２の後端に形成されて上蓋３の前端面部３３に接触してその上蓋３を跳ね上げるための接触部４２３とを有している。
【００３５】
操作レバー部４２１は、取出口１１を閉塞するように上蓋３が閉蓋された状態で、Ｘ軸方向前側であって斜め上向きに突出するように配されており、その操作レバー部４２１の先端部は、例えば、家庭用薄葉紙収納容器１００の外面部の曲率に合わせるように所定の曲率をもって湾曲して形成されている。
回動軸部４２２は、上摘み部４２の中央軸部４２４から、Ｙ軸方向に沿い左右方向にそれぞれ延在するように形成されており、後述する取付穴部１５２内を摺接移動可能に嵌め込まれている。
接触部４２３は、上蓋３を跳ね上げる際には上蓋３の前端面部３３の下端部に接触し、また、容器本体１の対向面部１３に形成されている被係合穴１３ａに係入されている場合には、上摘み部４２の回動を規制するようになっている。なお、接触部４２３は、図４に示すように、Ｙ軸方向に並んで所定間隔を空けて２つ設けられている。
【００３６】
この上摘み部４２が取り付けられている容器本体１の操作部取付部１５６における、左右一対のＸＺ平面をなして対向する側壁部１５１、１５１には、Ｘ軸方向に長尺な取付穴部１５２が設けられている。図７に示すように、側壁部１５１の取付穴部１５２に、上摘み部４２の回動軸部４２２が回動可能且つ前後方向に摺動可能に係入されている。
この取付穴部１５２は、Ｙ軸方向に所定の深さ座刳られてなり、Ｘ軸方向に沿って延在する略長円形状に形成されている。そして、取付穴部１５２のＸ軸方向の長さは、上摘み部４２をＸ軸方向にスライドさせて、操作部４による取出口１１を開蓋状態とするための操作をロックするロック位置とアンロックするアンロック位置に配置することができる程度となっている。
【００３７】
ここで、上摘み部４２のロック位置とは、接触部４２３が被係合穴１３ａに係合されることで回動軸部４２２を中心とする上摘み部４２の回動を規制する位置であり、アンロック位置とは、接触部４２３と被係合穴１３ａの係合が解除されて上蓋３を跳ね上げ可能となるように前端面部３３の下端部の下側に接触部４２３が配置された位置のことである。
即ち、上摘み部４２がアンロック位置に配された状態では、取付穴部１５２の内周面の前側部分に上摘み部４２の回動軸部４２２の外面が接触した状態となり、また、上摘み部４２がロック位置に配された状態では、取付穴部１５２の内周面の後側部分に上摘み部４２の回動軸部４２２の外面が接触した状態となる。
【００３８】
また、取付穴部１５２の内周面のうち、Ｘ軸方向の略中央となる下側部分には、位置規制凸部１５３が上向きに突設されている。
位置規制凸部１５３は、取付穴部１５２の内周面の前側部分或いは後側部分に接触する位置にスライド移動した回動軸部４２２のＸ軸方向の位置を規制するものである。即ち、上摘み部４２をロック位置とアンロック位置との間で移動する場合には、回動軸部４２２が位置規制凸部１５３を乗り越えるようにしてＸ軸方向に移動することとなり、上摘み部４２がロック位置若しくはアンロック位置に配された状態では、位置規制凸部１５３により回動軸部４２２が取付穴部１５２内にてＸ軸方向に自由に移動することが規制されるようになっている。
【００３９】
そして、家庭用薄葉紙収納容器１００の操作部４の上摘み部４２がアンロック位置に配された状態で、上摘み部４２の操作レバー部４２１を下摘み部４１側に近接させるように操作し、上摘み部４２を回動させることにより、上摘み部４２の接触部４２３が上蓋３の前端面部３３を押し上げ、前端面部３３の上蓋側凸部３３１と本体側凸部１３１との係止状態を解除させることによって、上蓋３が回動するように開いて、開蓋状態とすることができる。
【００４０】
一方、家庭用薄葉紙収納容器１００の上蓋３を容器本体１側に回動させるように押し倒して、上蓋３の上蓋側凸部３３１を容器本体１の本体側凸部１３１に係止させるようにして、上蓋３を閉蓋状態とすると、上蓋３における第一の密着部としての密閉部３４が気密部材６の密閉環部６３と密着する。また、容器本体１の取出口１１に密着している気密部材６には、取出口１１における第二の密着部としての密着溝部１１ｂによって、薄葉紙包装体２００の開口部２００ａが密着させられているので、この家庭用薄葉紙収納容器１００における上蓋３の閉蓋状態においては、薄葉紙包装体２００の開口部２００ａ側は密閉された状態となっており、容器内の気密性が確保された状態となっている。
【００４１】
このように、家庭用薄葉紙収納容器１００において、上蓋３を閉じて容器を閉蓋状態とすると、気密部材６と、上蓋３の密閉部３４と、取出口１１の密着溝部１１ｂと、薄葉紙包装体２００の開口部２００ａとが密着した状態となって、容器内の気密性を高く維持することが可能になるので、家庭用薄葉紙収納容器１００に収納された薄葉紙包装体２００に内包されているウェットタイプの家庭用薄葉紙Ｐの乾燥を防ぐことができる。
また、家庭用薄葉紙収納容器１００内に異物等が混入してしまうことを防ぎ、その容器内に収納されている家庭用薄葉紙Ｐが汚染されないようにすることができる。
【００４２】
［実施形態２］
次に、本発明に係る家庭用薄葉紙収納容器の実施形態２について説明する。なお、実施形態１と同一部分には同一符号を付し、異なる部分についてのみ説明する。
【００４３】
家庭用薄葉紙収納容器１０００の容器本体１の取出口１１には、図８に示すように、取出口１１の開口の周囲に密接する環状の気密部材６ａが備えられている。
この取出口１１の内周面には、図８に示すように、気密部材６ａを取り付けるための環状溝部１１ａが形成されている。
【００４４】
気密部材６ａは、例えば、シリコンゴムなどの弾性材料からなり、容器本体１の取出口１１の内周面に形成されている環状溝部１１ａに、その気密部材６ａの径方向外側に突出している外縁部６１が隙間無く密着するように嵌め込まれている。
この気密部材６ａの底面側の内縁には、薄葉紙包装体２００の開口部２００ａと連通するようになる内縁開口部６２が形成されており、また、気密部材６ａの上面側には、上方に延在する密閉環部６３が形成されている。
更に、気密部材６ａにおける内縁開口部６２よりも下方側には、収納部５に収納する薄葉紙包装体２００の開口部２００ａを気密部材６ａに密着させて取り付けるための第二の密着部としての密着溝部６４が形成されている。
【００４５】
第二の密着部としての密着溝部６４には、薄葉紙包装体２００の開口部２００ａが隙間無く嵌め込まれるようになっており、その密着溝部６４は、薄葉紙包装体２００の開口部２００ａを気密部材６ａに密着させることが可能になっている。そして、その密着溝部６４によって、薄葉紙包装体２００の開口部２００ａが気密部材６ａに密着された状態において、薄葉紙包装体２００の開口部２００ａと、気密部材６ａの内縁開口部６２とが連通するようになっており、収納部５に収納されている薄葉紙包装体２００内から内縁開口部６２を通じて、家庭用薄葉紙Ｐを引き出して取り出すことができるようになっている。
なお、薄葉紙包装体２００の開口部２００ａは、包装体本体２００ｂと一体に形成されたものであることに限らず、例えば、包装体本体２００ｂの引出口の周囲にシリコンゴムなどの弾性材料からなる環状部材２００ａを開口部（２００ａ）として接着や圧着などによって取り付けたものであってもよい。
【００４６】
そして、家庭用薄葉紙収納容器１０００の上蓋３を容器本体１側に回動させるように押し倒して、上蓋３の上蓋側凸部３３１を容器本体１の本体側凸部１３１に係止させるようにして、上蓋３を閉蓋状態とすると、上蓋３における第一の密着部としての密閉部３４が気密部材６ａの密閉環部６３と密着する。また、容器本体１の取出口１１に密着している気密部材６ａには、第二の密着部としての密着溝部６４によって、薄葉紙包装体２００の開口部２００ａが密着させられているので、この家庭用薄葉紙収納容器１０００における上蓋３の閉蓋状態においては、薄葉紙包装体２００の開口部２００ａ側は密閉された状態となっており、容器内の気密性が確保された状態となっている。
【００４７】
このように、家庭用薄葉紙収納容器１０００において、上蓋３を閉じて容器を閉蓋状態とすると、気密部材６ａと、上蓋３の密閉部３４と、薄葉紙包装体２００の開口部２００ａとが密着した状態となって、容器内の気密性を高く維持することが可能になるので、家庭用薄葉紙収納容器１０００に収納された薄葉紙包装体２００に内包されているウェットタイプの家庭用薄葉紙Ｐの乾燥を防ぐことができる。
また、家庭用薄葉紙収納容器１０００内に異物などが混入してしまうことを防ぎ、その容器内に収納されている家庭用薄葉紙Ｐが汚染されないようにすることができる。
【００４８】
［実施形態３］
次に、本発明に係る家庭用薄葉紙収納容器の実施形態３について説明する。なお、実施形態１と同一部分には同一符号を付し、異なる部分についてのみ説明する。
【００４９】
家庭用薄葉紙収納容器２０００の容器本体１の取出口１１には、図９に示すように、取出口１１の開口の周囲に密接する環状の気密部材６ｂが備えられている。
この取出口１１の内周面には、図９に示すように、気密部材６ｂを取り付けるための環状溝部１１ａが形成されている。
【００５０】
気密部材６ｂは、例えば、シリコンゴムなどの弾性材料からなり、容器本体１の取出口１１の内周面に形成されている環状溝部１１ａに、その気密部材６ａの径方向外側に突出している外縁部６１が隙間無く密着するように嵌め込まれている。
この気密部材６ｂの底面側の内縁には、薄葉紙包装体２１０の開口部２１０ａと連通するようになる内縁開口部６２が形成されており、また、気密部材６ｂの上面側には、上方に延在する密閉環部６３が形成されている。
【００５１】
更に、家庭用薄葉紙収納容器２０００の収納部５における底蓋２側には、その収納部５に収納する薄葉紙包装体２１０が載置される上底板２２０と、上底板２２０を上方に押し上げるように付勢する付勢手段としての押上部２３０とが備えられている。この上底板２２０と押上部２３０とが、薄葉紙包装体２１０の開口部２１０ａを気密部材６ｂに密着させて取り付けるための第二の密着部として機能する。
【００５２】
上底板２２０は、押上部２３０を介して底蓋２の内面（上面）に取り付けられており、その上底板２２０の上面に薄葉紙包装体２１０が安定した姿勢で載置されるようになっている。
押上部２３０は、上底板２２０の下面と底蓋２との間に取り付けられて、その上底板２２０を上方の取出口１１の気密部材６ｂに向けて押し上げるようになっており、例えば、スポンジやスプリング（ばね部材）などによって構成されている。
【００５３】
そして、上底板２２０の上面に載置された薄葉紙包装体２１０の開口部２１０ａを気密部材６ｂに密着させるように、押上部２３０は上底板２２０を上方の取出口１１側に押し上げるとともに、押上部２３０は薄葉紙包装体２１０の開口部２１０ａを取出口１１の気密部材６ｂに付勢するようになっている。なお、薄葉紙包装体２１０の開口部２１０ａの各部が、気密部材６ｂに対して均等に付勢されて、密着することが好ましいので、押上部２３０は適宜、複数のスポンジやスプリングなどを組み合わせたものを使用するようにしてもよい。
【００５４】
また、図９に示すように、薄葉紙包装体２１０の開口部２１０ａの内周形状と、気密部材６ｂの底面の外周形状とは略同じ形状を有しており、開口部２１０ａに気密部材６ｂが内接することで密着しやすくなっている。また、例えば、薄葉紙包装体２１０の開口部２１０ａの外周形状と、気密部材６ｂの底面（内縁開口部６２）の内周形状とが略同じ形状を有するようにして、開口部２１０ａに気密部材６ｂが外接するように密着しやすくしてもよい。
なお、薄葉紙包装体２１０の開口部２１０ａは、包装体本体２１０ｂと一体に形成されたものであることに限らず、例えば、包装体本体２１０ｂの引出口の周囲にシリコンゴムなどの弾性材料からなる環状部材２１０ａを開口部（２１０ａ）として接着や圧着などによって取り付けたものであってもよい。
【００５５】
この第二の密着部としての上底板２２０と押上部２３０とによって、薄葉紙包装体２１０の開口部２１０ａを隙間無く気密部材６ｂに密着させることが可能になっている。そして、その上底板２２０と押上部２３０とによって、薄葉紙包装体２１０の開口部２１０ａが気密部材６ｂに密着された状態において、薄葉紙包装体２１０の開口部２１０ａと、気密部材６ｂの内縁開口部６２とが連通するようになっており、収納部５に収納されている薄葉紙包装体２１０内から内縁開口部６２を通じて、家庭用薄葉紙Ｐを引き出して取り出すことができるようになっている。
【００５６】
そして、家庭用薄葉紙収納容器２０００の上蓋３を容器本体１側に回動させるように押し倒して、上蓋３の上蓋側凸部３３１を容器本体１の本体側凸部１３１に係止させるようにして、上蓋３を閉蓋状態とすると、上蓋３における第一の密着部としての密閉部３４が気密部材６ｂの密閉環部６３と密着する。また、容器本体１の取出口１１に密着している気密部材６ｂには、第二の密着部としての上底板２２０と押上部２３０とによって、薄葉紙包装体２１０の開口部２１０ａが密着させられているので、この家庭用薄葉紙収納容器２０００における上蓋３の閉蓋状態においては、薄葉紙包装体２１０の開口部２１０ａ側は密閉された状態となっており、容器内の気密性が確保された状態となっている。
【００５７】
このように、家庭用薄葉紙収納容器２０００において、上蓋３を閉じて容器を閉蓋状態とすると、気密部材６ｂと、上蓋３の密閉部３４と、上底板２２０と押上部２３０と、薄葉紙包装体２１０の開口部２１０ａとが密着した状態となって、容器内の気密性を高く維持することが可能になるので、家庭用薄葉紙収納容器２０００に収納された薄葉紙包装体２１０に内包されているウェットタイプの家庭用薄葉紙Ｐの乾燥を防ぐことができる。
また、家庭用薄葉紙収納容器２０００内に異物などが混入してしまうことを防ぎ、その容器内に収納されている家庭用薄葉紙Ｐが汚染されないようにすることができる。
【００５８】
［実施形態４］
次に、本発明に係る家庭用薄葉紙収納容器の実施形態４について説明する。なお、実施形態１と同一部分には同一符号を付し、異なる部分についてのみ説明する。
【００５９】
家庭用薄葉紙収納容器３０００は、図１０に示すように、容器本体１の取出口１１に、薄葉紙包装体６００を取り付けるための環状溝部１１ａが形成されている。
この家庭用薄葉紙収納容器３０００に収容される薄葉紙包装体６００は、図１０に示すように、複数のウェットタイプの家庭用薄葉紙Ｐを積層した状態で内包する包装体本体６００ｂと、その薄葉紙包装体６００の開口部を構成する環状の気密部材６０とを備えている。
【００６０】
薄葉紙包装体６００の開口部に備えられる気密部材６０は、例えば、シリコンゴムなどの弾性材料からなり、容器本体１の取出口１１の内周面に形成されている環状溝部１１ａに、その気密部材６０の径方向外側に突出している外縁部６１が隙間無く密着するように嵌め込まれるようになっている。
この気密部材６０の底面側の内縁には、内縁開口部６２が形成されており、また、気密部材６０の上面側には、上方に延在する密閉環部６３が形成されている。
【００６１】
そして、この薄葉紙包装体６００の気密部材６０における外縁部６１を取出口１１の環状溝部１１ａに嵌め込むことによって、気密部材６０を取出口１１の周囲に密接させることができるとともに、薄葉紙包装体６００を家庭用薄葉紙収納容器３０００に取り付けることができる。その気密部材６０が取出口１１の環状溝部１１ａに密着された状態において、薄葉紙包装体６００の気密部材６０の内縁開口部６２を通じて、収納部５に収納されているその薄葉紙包装体６００内から家庭用薄葉紙Ｐを引き出して取り出すことができるようになっている。
【００６２】
そして、家庭用薄葉紙収納容器３０００の上蓋３を容器本体１側に回動させるように押し倒して、上蓋３の上蓋側凸部３３１を容器本体１の本体側凸部１３１に係止させるようにして、上蓋３を閉蓋状態とすると、上蓋３における密着部としての密閉部３４が気密部材６０の密閉環部６３と密着する。また、容器本体１の取出口１１に取り付けられている薄葉紙包装体６００の気密部材６０は、その取出口１１に密着しているので、この家庭用薄葉紙収納容器３０００における上蓋３の閉蓋状態においては、薄葉紙包装体６００の開口部の気密部材６０側は密閉された状態となっており、容器内の気密性が確保された状態となっている。
【００６３】
このように、薄葉紙包装体６００を用いる家庭用薄葉紙収納容器３０００において、上蓋３を閉じて容器を閉蓋状態とすると、気密部材６０と、上蓋３の密閉部３４と、取出口１１とが密着した状態となって、容器内の気密性を高く維持することが可能になるので、家庭用薄葉紙収納容器３０００に収納された薄葉紙包装体６００に内包されているウェットタイプの家庭用薄葉紙Ｐの乾燥を防ぐことができる。
また、家庭用薄葉紙収納容器３０００内に異物などが混入してしまうことを防ぎ、その容器内に収納されている家庭用薄葉紙Ｐが汚染されないようにすることができる。
【００６４】
以上のように、本発明に係る家庭用薄葉紙収納容器（１００、１０００、２０００）や家庭用薄葉紙収納容器３０００と薄葉紙包装体６００とによれば、その家庭用薄葉紙収納容器（１００、１０００、２０００、３０００）における容器本体１の取出口１１を塞ぐように、上蓋３を閉じてその容器を閉蓋状態にすることによって、家庭用薄葉紙Ｐが内包されている薄葉紙包装体（２００、２１０、６００）の開口部と、気密部材（６、６ａ、６ｂ、６０）と、上蓋３（密閉部３４）とを密着させることができるので、その家庭用薄葉紙収納容器内において、薄葉紙包装体の開口部側を密閉された空間とすることができ、その容器内の気密性を確保することができる。
【００６５】
つまり、家庭用薄葉紙収納容器（１００、１０００、２０００、３０００）の上蓋３を閉じて、容器を閉蓋状態とすることによって、その容器内の気密性を確保することができるので、家庭用薄葉紙収納容器（１００、１０００、２０００、３０００）に収納された薄葉紙包装体（２００、２１０、６００）に内包されているウェットタイプの家庭用薄葉紙Ｐの乾燥を防ぐことや、その容器内に異物が混入して家庭用薄葉紙Ｐに付着してしまうことを好適に防ぐことができる。
【００６６】
なお、本発明の適用は上述した実施形態に限定されることなく、本発明の趣旨を逸脱しない範囲で適宜変更可能である。
例えば、本実施形態においては、薄葉紙包装体の開口部を密着溝部（第二の密着部）を介して気密部材に密着させることと、上底部と押上部とによって薄葉紙包装体を押し上げて、薄葉紙包装体の開口部を気密部材に密着させることを、それぞれ個別に行うようにしたが、これらを共用する構成にしてもよい。
また、気密部材（６０）が一体に設けられている薄葉紙包装体（６００）を用いる家庭用薄葉紙収納容器（３０００）に、上底部と押上部を備えて、薄葉紙包装体を押し上げるようにしてもよい。
【図面の簡単な説明】
【００６７】
【図１】本発明を適用した実施形態１として例示する家庭用薄葉紙収納容器を示す斜視図である。
【図２】家庭用薄葉紙収納容器を示す正面図である。
【図３】家庭用薄葉紙収納容器を示す平面図である。
【図４】家庭用薄葉紙収納容器を示す平面図であり、上蓋を透視して示している。
【図５】家庭用薄葉紙収納容器における底蓋を示す平面図である。
【図６】家庭用薄葉紙収納容器における容器本体と底蓋との係合状態を示す説明図である。
【図７】図３のVII−VII線における家庭用薄葉紙収納容器の断面図である。
【図８】本発明を適用した実施形態２として例示する家庭用薄葉紙収納容器を示す断面図である。
【図９】本発明を適用した実施形態３として例示する家庭用薄葉紙収納容器を示す断面図である。
【図１０】本発明を適用した実施形態４として例示する家庭用薄葉紙収納容器を示す断面図である。
【符号の説明】
【００６８】
１      容器本体
１１    取出口
１１ａ  環状溝部
１１ｂ  密着溝部（第二の密着部）
２      底蓋
３      上蓋
３４    密閉部（第一の密着部）
４      操作部
６      気密部材
６１    外縁部
６２    内縁開口部
６３    密閉環部
２００  薄葉紙包装体
２００ａ  開口部、環状部材
１００  家庭用薄葉紙収納容器
６ａ    気密部材
６４    密着溝部（第二の密着部）
１０００  家庭用薄葉紙収納容器
６ｂ    気密部材
２２０  上底部（第二の密着部）
２３０  押上部（第二の密着部、付勢手段）
２１０  薄葉紙包装体
２１０ａ  開口部、環状部材
２０００  家庭用薄葉紙収納容器
６０    気密部材
６００  薄葉紙包装体
３０００  家庭用薄葉紙収納容器
Ｐ      家庭用薄葉紙
【図１】
0005087357.tif 000002
【図２】
0005087357.tif 000003
【図３】
0005087357.tif 000004
【図４】
0005087357.tif 000005
【図５】
0005087357.tif 000006
【図６】
0005087357.tif 000007
【図７】
0005087357.tif 000008
【図８】
0005087357.tif 000009
【図９】
0005087357.tif 000010
【図１０】
0005087357.tif 000011